(57)【要約】【課題】複数の表示装置により画像を表示する表示システムにおいて、ユーザの手間を省きつつ入力映像信号に応じた画像を当該画像に適した表示装置に表示させることが可能な表示システム、表示方法、及び表示プログラムを提供すること。【解決手段】表示システムは、入力映像信号に対応する入力画像を取得する画像取得部と、第１表示装置及び第２表示装置のそれぞれの機器情報を取得する機器情報取得部と、前記画像取得部により取得される前記入力画像の種別を判定する判定処理部と、前記機器情報取得部により取得される前記機器情報と、前記判定処理部により判定される前記入力画像の種別とに基づいて、前記第１表示装置及び前記第２表示装置のうち前記入力画像を表示させる表示装置を決定する機器決定部と、前記機器決定部により決定される前記表示装置に前記入力画像を表示させる表示処理部と、を備える。【選択図】図５
2022001917.tif 000002
【特許請求の範囲】
【請求項１】
入力映像信号が入力される第１表示装置と、前記第１表示装置に接続される第２表示装置とを含む表示システムであって、
前記第１表示装置は、
前記入力映像信号に対応する入力画像を取得する画像取得部と、
前記第１表示装置及び前記第２表示装置のそれぞれの機器情報を取得する機器情報取得部と、
前記画像取得部により取得される前記入力画像の種別を判定する判定処理部と、
前記機器情報取得部により取得される前記機器情報と、前記判定処理部により判定される前記入力画像の種別とに基づいて、前記第１表示装置及び前記第２表示装置のうち前記入力画像を表示させる表示装置を決定する機器決定部と、
前記機器決定部により決定される前記表示装置に前記入力画像を表示させる表示処理部と、
を備える表示システム。
【請求項２】
前記機器決定部が前記入力画像を表示させる表示装置として前記第２表示装置を決定した場合に、前記表示処理部は、前記入力画像を前記第２表示装置に転送する、
請求項１に記載の表示システム。
【請求項３】
前記表示処理部は、前記第２表示装置の識別情報を付与した前記入力画像を前記第２表示装置に転送する、
請求項２に記載の表示システム。
【請求項４】
前記機器決定部は、前記機器情報取得部により取得される前記機器情報と、前記判定処理部により判定される前記入力画像の種別と、予め設定された優先順位の情報とに基づいて、前記入力画像を表示させる表示装置を決定する、
請求項１から請求項３のいずれか１項に記載の表示システム。
【請求項５】
前記機器決定部は、前記機器情報取得部により取得される前記機器情報と、前記判定処理部により判定される前記入力画像の種別と、前記第１表示装置及び前記第２表示装置のそれぞれの表示輝度の劣化度合いとに基づいて、前記入力画像を表示させる表示装置を決定する、
請求項１から請求項３のいずれか１項に記載の表示システム。
【請求項６】
前記機器決定部は、前記入力画像を表示させる一つの表示装置を決定し、
前記表示処理部は、前記機器決定部により決定される前記一つの表示装置に前記入力画像を表示させる、
請求項１から請求項５のいずれか１項に記載の表示システム。
【請求項７】
前記機器決定部は、前記入力画像を表示させる複数の表示装置を決定し、
前記表示処理部は、前記機器決定部により決定される前記複数の表示装置のそれぞれに前記入力画像を表示させる、
請求項１から請求項５のいずれか１項に記載の表示システム。
【請求項８】
前記機器情報取得部は、表示装置が表示可能な画像の種別、表示装置の解像度、及び表示装置の識別情報を含む前記機器情報を取得する、
請求項１から請求項７のいずれか１項に記載の表示システム。
【請求項９】
前記判定処理部は、前記入力画像について、ＨＤＲ画像であるか否か、モノクロ画像であるか否か、カラー画像であるか否かをそれぞれ判定する、
請求項１から請求項８のいずれか１項に記載の表示システム。
【請求項１０】
入力映像信号が入力される第１表示装置と、前記第１表示装置に接続される第２表示装置とに画像を表示させる表示方法であって、
前記入力映像信号に対応する入力画像を取得する画像取得ステップと、
前記第１表示装置及び前記第２表示装置のそれぞれの機器情報を取得する機器情報取得ステップと、
前記画像取得ステップにより取得される前記入力画像の種別を判定する判定ステップと、
前記機器情報取得ステップにより取得される前記機器情報と、前記判定ステップにより判定される前記入力画像の種別とに基づいて、前記第１表示装置及び前記第２表示装置のうち前記入力画像を表示させる表示装置を決定する決定ステップと、
前記決定ステップにより決定される前記表示装置に前記入力画像を表示させる表示ステップと、
を一又は複数のプロセッサーにより実行する表示方法。
【請求項１１】
入力映像信号が入力される第１表示装置と、前記第１表示装置に接続される第２表示装置とに画像を表示させる表示プログラムであって、
前記入力映像信号に対応する入力画像を取得する画像取得ステップと、
前記第１表示装置及び前記第２表示装置のそれぞれの機器情報を取得する機器情報取得ステップと、
前記画像取得ステップにより取得される前記入力画像の種別を判定する判定ステップと、
前記機器情報取得ステップにより取得される前記機器情報と、前記判定ステップにより判定される前記入力画像の種別とに基づいて、前記第１表示装置及び前記第２表示装置のうち前記入力画像を表示させる表示装置を決定する決定ステップと、
前記決定ステップにより決定される前記表示装置に前記入力画像を表示させる表示ステップと、
を一又は複数のプロセッサーに実行させるための表示プログラム。
【発明の詳細な説明】
【技術分野】
【０００１】
本発明は、複数の表示装置を用いて画像を表示する表示システム、表示方法、及び表示プログラムに関する。
【背景技術】
【０００２】
従来、複数の表示装置（ディスプレイ）をデイジーチェーン接続して画像を表示する表示システム（マルチディスプレイシステムともいう。）が知られている。また、前記表示システムにおいて、異なる種類の映像信号に応じた複数の画像を複数の表示装置のそれぞれで表示させる技術も知られている（例えば特許文献１参照）。
【先行技術文献】
【特許文献】
【０００３】
【特許文献１】国際公開２０１６／１８９９４９号公報
【発明の概要】
【発明が解決しようとする課題】
【０００４】
例えば医療現場において、スペックが異なる複数の表示装置にレントゲン画像、内視鏡画像、カルテ情報などの医療用画像を表示させる場合、ユーザが医療用画像ごとに表示に適した表示装置を選択する必要があり、利便性が悪いという問題が生じる。
【０００５】
本発明の目的は、複数の表示装置により画像を表示する表示システムにおいて、ユーザの手間を省きつつ入力映像信号に応じた画像を当該画像に適した表示装置に表示させることが可能な表示システム、表示方法、及び表示プログラムを提供することにある。
【課題を解決するための手段】
【０００６】
本発明の一の態様に係る表示システムは、入力映像信号が入力される第１表示装置と、前記第１表示装置に接続される第２表示装置とを含む表示システムであって、前記第１表示装置は、前記入力映像信号に対応する入力画像を取得する画像取得部と、前記第１表示装置及び前記第２表示装置のそれぞれの機器情報を取得する機器情報取得部と、前記画像取得部により取得される前記入力画像の種別を判定する判定処理部と、前記機器情報取得部により取得される前記機器情報と、前記判定処理部により判定される前記入力画像の種別とに基づいて、前記第１表示装置及び前記第２表示装置のうち前記入力画像を表示させる表示装置を決定する機器決定部と、前記機器決定部により決定される前記表示装置に前記入力画像を表示させる表示処理部と、を備える。
【０００７】
本発明の他の態様に係る表示方法は、入力映像信号が入力される第１表示装置と、前記第１表示装置に接続される第２表示装置とに画像を表示させる表示方法であって、前記入力映像信号に対応する入力画像を取得する画像取得ステップと、前記第１表示装置及び前記第２表示装置のそれぞれの機器情報を取得する機器情報取得ステップと、前記画像取得ステップにより取得される前記入力画像の種別を判定する判定ステップと、前記機器情報取得ステップにより取得される前記機器情報と、前記判定ステップにより判定される前記入力画像の種別とに基づいて、前記第１表示装置及び前記第２表示装置のうち前記入力画像を表示させる表示装置を決定する決定ステップと、前記決定ステップにより決定される前記表示装置に前記入力画像を表示させる表示ステップと、を一又は複数のプロセッサーにより実行する方法である。
【０００８】
本発明の他の態様に係る表示プログラムは、入力映像信号が入力される第１表示装置と、前記第１表示装置に接続される第２表示装置とに画像を表示させる表示プログラムであって、前記入力映像信号に対応する入力画像を取得する画像取得ステップと、前記第１表示装置及び前記第２表示装置のそれぞれの機器情報を取得する機器情報取得ステップと、前記画像取得ステップにより取得される前記入力画像の種別を判定する判定ステップと、前記機器情報取得ステップにより取得される前記機器情報と、前記判定ステップにより判定される前記入力画像の種別とに基づいて、前記第１表示装置及び前記第２表示装置のうち前記入力画像を表示させる表示装置を決定する決定ステップと、前記決定ステップにより決定される前記表示装置に前記入力画像を表示させる表示ステップと、を一又は複数のプロセッサーに実行させるためのプログラムである。
【発明の効果】
【０００９】
本発明によれば、複数の表示装置により画像を表示する表示システムにおいて、ユーザの手間を省きつつ入力映像信号に応じた画像を当該画像に適した表示装置に表示させることが可能となる。
【図面の簡単な説明】
【００１０】
【図１】図１は、本発明の実施形態に係る表示システムの概略構成を示す図である。
【図２】図２は、本発明の実施形態に係る表示システムにおける表示手順の一例を示す図である。
【図３】図３は、本発明の実施形態に係る表示システムにおける表示手順の一例を示す図である。
【図４】図４は、本発明の実施形態に係る表示システムにおける表示手順の一例を示す図である。
【図５】図５は、本発明の実施形態に係る表示装置の具体的構成を示すブロック図である。
【図６】図６は、本発明の実施形態に係る表示装置において実行される画像表示処理の手順の一例を説明するためのフローチャートである。
【図７】図７は、本発明の実施形態に係る表示装置に表示される設定画面一例を示す図である。
【図８】図８は、本発明の実施形態に係る表示システムにおける表示例を示す図である。
【発明を実施するための形態】
【００１１】
以下、添付図面を参照しながら、本発明の実施形態について説明する。なお、以下の実施形態は、本発明を具体化した一例であって、本発明の技術的範囲を限定する性格を有さない。
【００１２】
［表示システム１００］
図１は、本発明の実施形態に係る表示システム１００の概略構成を示す図である。表示システム１００は、複数の表示装置１０と、映像出力装置２００とを備える。複数の表示装置１０は、映像出力装置２００から出力される入力映像信号Ｄｅが上流から下流に送信されるようにデイジーチェーン接続されて配置される。すなわち、表示システム１００は、入力映像信号Ｄｅを出力する映像出力装置２００と、入力映像信号Ｄｅが入力される表示装置１０と、当該表示装置１０に接続される表示装置１０とを含んで構成される。図１では、一例として、３台の表示装置１０ａ，１０ｂ，１０ｃを示している。例えば、表示装置１０ａは最上流側に配置され、表示装置１０ｂ，１０ｃは下流側に向かってこの順に配置されており、表示装置１０ａ，１０ｂ，１０ｃはデイジーチェーン接続されている。表示装置１０ａ，１０ｂ，１０ｃは、図１に示すように水平方向に並べられて配置されている。なお、表示装置１０ａ，１０ｂ，１０ｃは、垂直方向に並べられて配置されてもよい。表示装置１０の台数は限定されない。
【００１３】
各表示装置１０は、表示部（操作表示部）及び駆動回路（不図示）などを備える。表示部は、例えば液晶パネルで構成される。また、表示部は、データ信号線（ソースライン）及びゲート信号線（走査信号線）、各データ信号線及び各ゲート信号線の交差部近傍に配置される複数の薄膜トランジスタ（ＴＦＴ）、画素電極、共通電極（コモン電極）、液晶層などを備える。前記駆動回路は、ソースドライバ及びゲートドライバなどを備える。
【００１４】
映像出力装置２００は、１台で構成されてもよいし、複数台で構成されてもよい。映像出力装置２００は、例えばパーソナルコンピュータ（ＰＣ）、画像再生装置などによって構成される。映像出力装置２００は、各表示装置１０に表示させる画像に対応する映像信号（入力映像信号Ｄｅ）を出力する。本実施形態では、表示システム１００が、１台の映像出力装置２００と、３台の表示装置１０ａ，１０ｂ，１０ｃとで構成される場合を例に挙げて説明する。
【００１５】
また、表示システム１００は、例えば医療現場に導入される。映像出力装置２００は、例えばレントゲン画像、内視鏡画像、カルテ情報などの医療用画像を出力する。前記医療用画像は、ＨＤＲ（High Dynamic Range）画像、ＳＤＲ（Standard Dynamic Range）画像、モノクロ（白黒）画像、カラー画像、低解像度画像、高解像度画像など種々の特性を有する画像が含まれる。なお、本発明の画像（入力画像）は、医療用画像に限定されず、種々の分野に対応する画像であってもよい。すなわち、本発明の表示システムは、種々の分野に適用可能である。
【００１６】
ここで、表示システム１００の表示例の概要を説明する。ここでは例えば、表示装置１０ａはＨＤＲ画像を表示可能な性能を有し、表示装置１０ｂはモノクロ画像を表示可能な性能を有し、表示装置１０ｃはカラー画像を表示可能な性能を有するものとする。映像出力装置２００に接続される表示装置１０ａは、親機として機能し、後段の表示装置１０ｂ，１０ｃの機器情報を取得する。前記機器情報には、表示装置１０が表示可能な画像の種別（ＨＤＲ画像、モノクロ画像、カラー画像など）、表示装置１０の機種名、表示画面のインチサイズ、表示装置１０の解像度、設置方向（縦又は横）、視聴ソース（ＨＤＭＩ、ＤＰ（Display Port）など）、カラー表示対応の可否、モノクロ表示対応の可否などの情報が含まれる。
【００１７】
図２に示すように、表示装置１０ａは映像出力装置２００から出力される入力映像信号Ｄｅを取得すると、入力映像信号Ｄｅの画像（入力画像）を解析する。例えば、表示装置１０ａは、入力画像のサイズ、入力画像の解像度、入力画像の種別（ＨＤＲ画像、モノクロ画像、カラー画像など）を解析する。例えば図２に示すように、入力画像Ｃがカラー画像である場合、表示装置１０ａは、入力画像Ｃの画像データＤｖに表示装置１０ｃの識別情報（ＩＤ番号）を付与して後段の表示装置１０ｂに転送する。表示装置１０ｃは、表示装置１０ｂを介して画像データＤｖを取得すると入力画像Ｃを表示する。
【００１８】
また例えば図３に示すように、入力画像Ｂがモノクロ画像である場合、表示装置１０ａは、入力画像Ｂの画像データＤｖに表示装置１０ｂの識別情報（ＩＤ番号）を付与して後段の表示装置１０ｂに転送する。表示装置１０ｂは、画像データＤｖを取得すると入力画像Ｂを表示する。また例えば図４に示すように、入力画像ＡがＨＤＲ画像である場合、表示装置１０ａは入力画像Ａを表示する。
【００１９】
このように、各表示装置１０ａ，１０ｂ，１０ｃは、表示装置１０ａの解析結果に基づいて、対応する画像を表示する。前記表示方法を実現するための表示システム１００の具体的な構成を以下に説明する。
【００２０】
［表示装置１０ａ（親機）］
図５に示すように、表示装置１０ａは、制御部１１、記憶部１２、操作表示部１３、及び通信部１４などを備える。表示装置１０ａは、映像出力装置２００に接続され、親機として機能する。表示装置１０ａは、本発明の第１表示装置の一例である。
【００２１】
通信部１４は、映像出力装置２００から出力される入力映像信号Ｄｅが入力される入力端子と、表示装置１０ａから画像データＤｖを出力する出力端子とを含む。前記入力端子及び前記出力端子は、ＨＤＭＩ（登録商標）、ＤＰ、ＵＳＢ、ＬＡＮなどの規格に応じた端子で構成される。
【００２２】
操作表示部１３は、各種の情報を表示する液晶ディスプレイ又は有機ＥＬディスプレイのような表示部と、操作を受け付けるタッチパネル、マウス、又はキーボードなどの操作部とを備えるユーザーインターフェースである。例えば前記表示部には、入力映像信号Ｄｅに応じた入力画像Ａ（図４参照）が表示される。
【００２３】
記憶部１２は、各種の情報を記憶するＲＯＭ、ＲＡＭ、ＨＤＤ、ＳＤＤなどの不揮発性の記憶部である。記憶部１２には、制御部１１に後述の画像表示処理（図６参照）を実行させるための画像表示プログラムなどの制御プログラムが記憶されている。例えば、前記画像表示プログラムは、ＣＤ又はＤＶＤなどのコンピューター読取可能な記録媒体に非一時的に記録されており、表示装置１０ａに電気的に接続されるＣＤドライブ又はＤＶＤドライブなどの読取装置（不図示）で読み取られて記憶部１２に記憶される。
【００２４】
制御部１１は、ＣＰＵなどの制御機器を有する。前記ＣＰＵは、各種の演算処理を実行するプロセッサーである。そして、制御部１１は、記憶部１２に予め記憶された各種の制御プログラムを前記ＣＰＵで実行することにより表示装置１０ａを制御する。
【００２５】
具体的に、制御部１１は、画像取得部１１１、機器情報取得部１１２、画像解析部１１３、判定処理部１１４、機器決定部１１５、表示処理部１１６などの各種の処理部を含む。なお、制御部１１は、前記ＣＰＵで前記画像表示プログラムに従った各種の処理を実行することによって前記各種の処理部として機能する。また、制御部１１に含まれる一部又は全部の処理部が電子回路で構成されていてもよい。なお、前記画像表示プログラムは、複数のプロセッサーを前記各種の処理部として機能させるためのプログラムであってもよい。
【００２６】
画像取得部１１１は、映像出力装置２００から出力される入力映像信号Ｄｅに対応する入力画像を取得する。例えば、画像取得部１１１は、映像出力装置２００からＨＤＲ画像、ＳＤＲ画像、モノクロ画像、カラー画像、低解像度画像、高解像度画像などの特性を有する種々の入力画像を取得する。画像取得部１１１は、本発明の画像取得部の一例である。
【００２７】
機器情報取得部１１２は、表示システム１００に含まれる各表示装置１０ａ，１０ｂ，１０ｃに関する固有の情報（機器情報）を取得する。前記機器情報には、表示装置１０が表示可能な画像の種別（ＨＤＲ画像、モノクロ画像、カラー画像など）、表示装置１０の機種名、表示画面のインチサイズ、表示装置１０の解像度、設置方向（縦又は横）、視聴ソース（ＨＤＭＩ、ＤＰ（Display Port）など）、カラー表示対応の可否、モノクロ表示対応の可否などの情報が含まれる。例えば、機器情報取得部１１２は、表示装置１０ｂ，１０ｃからＥＤＩＤ（Extended display identification data）の情報を取得して、前記機器情報を取得する。なお、制御部１１は、前記機器情報により、表示システム１００に含まれる表示装置１０の台数、配置位置、配置順などを把握することができる。機器情報取得部１１２は、本発明の機器情報取得部の一例である。
【００２８】
画像解析部１１３は、画像取得部１１１により取得される前記入力画像を解析する。例えば、画像解析部１１３は、入力画像のサイズ、入力画像の解像度、入力画像の種別（ＨＤＲ画像、モノクロ画像、カラー画像など）などを解析する。
【００２９】
判定処理部１１４は、画像取得部１１１により取得される前記入力画像の種別を判定する。例えば、判定処理部１１４は、前記入力画像が、ＨＤＲ画像であるか否か、モノクロ画像であるか否か、カラー画像であるか否かをそれぞれ判定する。また例えば、判定処理部１１４は、前記入力画像が、低解像度画像であるか否か、高解像度画像であるか否かをそれぞれ判定する。判定処理部１１４は、本発明の判定処理部の一例である。
【００３０】
機器決定部１１５は、画像取得部１１１により取得される前記入力画像を表示させる表示装置１０を決定する。具体的には、機器決定部１１５は、機器情報取得部１１２により取得される前記機器情報と、判定処理部１１４により判定される前記入力画像の種別とに基づいて、表示装置１０ａ，１０ｂ，１０ｃのうち前記入力画像を表示させる表示装置１０を決定する。
【００３１】
例えば、入力映像信号Ｄｅの入力画像Ｃがカラー画像であり、表示装置１０ｃがカラー画像を表示可能である場合、機器決定部１１５は、入力画像Ｃを表示させる表示装置として表示装置１０ｃを決定する。また例えば、入力画像Ｂがモノクロ画像であり、表示装置１０ｂがモノクロ画像を表示可能である場合、機器決定部１１５は、入力画像Ｂを表示させる表示装置として表示装置１０ｂを決定する。また例えば、入力画像ＡがＨＤＲ画像であり、表示装置１０ａがＨＤＲ画像を表示可能である場合、機器決定部１１５は、入力画像Ａを表示させる表示装置として表示装置１０ａを決定する。機器決定部１１５は、本発明の機器決定部の一例である。
【００３２】
表示処理部１１６は、画像取得部１１１により取得される前記入力画像を、機器決定部１１５により決定される表示装置１０に表示させる。例えば、表示処理部１１６は、入力画像Ｃの画像データＤｖに表示装置１０ｃの識別情報（ＩＤ番号）を付与して後段の表示装置１０ｂを介して表示装置１０ｃに転送し、表示装置１０ｃに入力画像Ｃを表示させる（図２参照）。
【００３３】
また例えば、表示処理部１１６は、入力画像Ｂの画像データＤｖに表示装置１０ｂの識別情報（ＩＤ番号）を付与して後段の表示装置１０ｂに転送し、表示装置１０ｂに入力画像Ｂを表示させる（図３参照）。また例えば、表示処理部１１６は、入力画像Ａを表示装置１０ａの表示部に表示させる（図４参照）。なお、制御部１１は、前記ＥＤＩＤ情報に基づいて各表示装置にＩＤ番号を割り当て、割り当てたＩＤ番号を対応する画像データＤｖに付与する。
【００３４】
このように、機器決定部１１５が前記入力画像を表示させる表示装置１０として表示装置１０ｂ又は表示装置１０ｃを決定した場合に、表示処理部１１６は、前記入力画像を表示装置１０ｂ又は表示装置１０ｃに転送する。また、表示処理部１１６は、表示装置１０ｂのＩＤ番号を付与した前記入力画像を表示装置１０ｂに転送し、表示装置１０ｃのＩＤ番号を付与した前記入力画像を表示装置１０ｃに転送する。
【００３５】
［表示装置１０ｂ、１０ｃ（子機）］
表示装置１０ｂ，１０ｃは、制御部２１、記憶部２２、操作表示部２３、及び通信部２４などを備える。表示装置１０ｂ，１０ｃは、表示装置１０ａの後段に配置され、子機として機能する。図５には、一例として表示装置１０ｂを示している。表示装置１０ｂ，１０ｃは同一の構成を備える。表示装置１０ｂは、本発明の第２表示装置の一例である。
【００３６】
通信部２４は、表示装置１０ａから出力される画像データＤｖが入力される入力端子と、表示装置１０ｂから画像データＤｖを出力する出力端子とを含む。前記入力端子及び前記出力端子は、ＨＤＭＩ、ＤＰ、ＵＳＢ、ＬＡＮなどの規格に応じた端子で構成される。
【００３７】
操作表示部２３は、各種の情報を表示する液晶ディスプレイ又は有機ＥＬディスプレイのような表示部と、操作を受け付けるタッチパネル、マウス、又はキーボードなどの操作部とを備えるユーザーインターフェースである。例えば前記表示部には、画像データＤｖに応じた入力画像Ｂ（図３参照）が表示される。
【００３８】
記憶部２２は、各種の情報を記憶するＲＯＭ、ＲＡＭ、ＨＤＤ、ＳＤＤなどの不揮発性の記憶部である。記憶部２２には、制御部２１に後述の画像表示処理（図６参照）を実行させるための画像表示プログラムなどの制御プログラムが記憶されている。例えば、前記画像表示プログラムは、ＣＤ又はＤＶＤなどのコンピューター読取可能な記録媒体に非一時的に記録されており、表示装置１０ｂに電気的に接続されるＣＤドライブ又はＤＶＤドライブなどの読取装置（不図示）で読み取られて記憶部２２に記憶される。表示システム１００に含まれる表示装置１０ａ，１０ｂ，１０ｃのそれぞれの記憶部には前記画像表示プログラムが記憶されてもよい。これにより、例えば、表示装置１０ｂ，１０ｃのいずれかが親機として機能してもよいし、表示装置１０ａが子機として機能してもよい。
【００３９】
制御部２１は、ＣＰＵなどの制御機器を有する。前記ＣＰＵは、各種の演算処理を実行するプロセッサーである。そして、制御部２１は、記憶部２２に予め記憶された各種の制御プログラムを前記ＣＰＵで実行することにより表示装置１０ｂを制御する。
【００４０】
具体的に、制御部２１は、画像取得部２１１、画像判定部２１２、表示処理部２１３、画像転送部２１４などの各種の処理部を含む。なお、制御部２１は、前記ＣＰＵで前記画像表示プログラムに従った各種の処理を実行することによって前記各種の処理部として機能する。また、制御部２１に含まれる一部又は全部の処理部が電子回路で構成されていてもよい。なお、前記画像表示プログラムは、複数のプロセッサーを前記各種の処理部として機能させるためのプログラムであってもよい。
【００４１】
画像取得部２１１は、表示装置１０ａから出力される画像データＤｖを取得する。例えば、画像取得部２１１は、表示装置１０ａから出力される入力画像Ｂ及び入力画像Ｃのそれぞれに対応する画像データＤｖを取得する。
【００４２】
画像判定部２１２は、画像取得部２１１により取得される画像データＤｖに対応する入力画像が表示装置１０ｂにおいて表示すべき画像であるか否かを判定する。具体的には、画像判定部２１２は、画像データＤｖに付与された識別情報（ＩＤ番号）が表示装置１０ｂのＩＤ番号と一致するか否かを判定し、ＩＤ番号が一致する場合に、画像データＤｖに対応する入力画像が表示装置１０ｂにおいて表示すべき画像であると判定する。一方、画像判定部２１２は、前記ＩＤ番号が一致しない場合には、画像データＤｖに対応する入力画像が表示装置１０ｂにおいて表示すべき画像ではないと判定する。
【００４３】
表示処理部２１３は、画像取得部２１１により取得される画像データＤｖに対応する入力画像を表示装置１０ｂの表示部に表示させる。具体的には、画像データＤｖに付与されたＩＤ番号が表示装置１０ｂのＩＤ番号と一致する場合に、表示処理部２１３は、画像データＤｖに対応する入力画像（例えば入力画像Ｂ）を表示装置１０ｂの表示部に表示させる（図３参照）。
【００４４】
画像転送部２１４は、画像取得部２１１により取得される画像データＤｖを後段の表示装置１０ｃに転送（出力）する。具体的には、画像データＤｖに付与されたＩＤ番号が表示装置１０ｂのＩＤ番号と一致しない場合に、画像転送部２１４は、画像データＤｖを表示装置１０ｃに転送する。
【００４５】
表示装置１０ｃは、表示装置１０ｂと同様の処理を実行して、表示装置１０ｂから取得する画像データＤｖに基づいて、表示装置１０ｃに対応する入力画像（例えば入力画像Ｃ）を表示装置１０ｃの表示部に表示させる（図２参照）。
【００４６】
［画像表示処理］
以下、図６を参照しつつ、表示装置１０ａ（親機）の制御部１１によって実行される画像表示処理について説明する。例えば、表示装置１０ａの制御部１１は、映像出力装置２００から入力映像信号Ｄｅが入力されることにより前記画像表示プログラムの実行を開始することによって、前記画像表示処理の実行を開始する。
【００４７】
なお、本発明は、前記画像表示処理に含まれる一又は複数のステップを実行する画像表示方法の発明として捉えることができる。また、ここで説明する前記画像表示処理に含まれる一又は複数のステップが適宜省略されてもよい。また、前記画像表示処理における各ステップは、同様の作用効果を生じる範囲で実行順序が異なってもよい。さらに、ここでは制御部１１によって前記画像表示処理における各ステップが実行される場合を例に挙げて説明するが、他の実施形態では、複数のプロセッサーによって前記画像表示処理における各ステップが分散して実行されてもよい。
【００４８】
先ずステップＳ１１において、制御部１１は、映像出力装置２００から入力映像信号Ｄｅに対応する入力画像を取得したか否かを判定する。制御部１１が前記入力画像を取得した場合（Ｓ１１：Ｙｅｓ）、処理はステップＳ１２に移行する。制御部１１は、前記入力画像を取得するまで待機する（Ｓ１１：Ｎｏ）。ステップＳ１１は、本発明の画像取得ステップの一例である。
【００４９】
次にステップＳ１２において、制御部１１は、表示システム１００に含まれる各表示装置１０ａ，１０ｂ，１０ｃに関する機器情報を取得する。例えば、制御部１１は、表示装置１０が表示可能な画像の種別（ＨＤＲ画像、モノクロ画像、カラー画像など）、表示装置１０の機種名、表示画面のインチサイズ、表示装置１０の解像度、設置方向（縦又は横）、視聴ソース（ＨＤＭＩ、ＤＰ（Display Port）など）、カラー表示対応の可否、モノクロ表示対応の可否などの情報を取得する。ステップＳ１２は、本発明の機器情報取得ステップの一例である。
【００５０】
次にステップＳ１３において、制御部１１は、前記入力画像を解析する。具体的には、制御部１１は、前記入力画像のサイズ、前記入力画像の解像度、前記入力画像の種別（ＨＤＲ画像、モノクロ画像、カラー画像など）を解析する。
【００５１】
次にステップＳ１４において、制御部１１は、前記入力画像がＨＤＲ画像であるか否かを判定する。前記入力画像がＨＤＲ画像である場合（Ｓ１４：Ｙｅｓ）、処理はステップＳ１５に移行する。一方、前記入力画像がＨＤＲ画像でない場合（Ｓ１４：Ｎｏ）、処理はステップＳ１６に移行する。
【００５２】
次にステップＳ１５において、制御部１１は、表示システム１００に含まれる複数の表示装置１０の中に、ＨＤＲ画像を表示可能な表示装置１０が存在するか否かを判定する。ＨＤＲ画像を表示可能な表示装置１０が存在する場合（Ｓ１５：Ｙｅｓ）、処理はステップＳ１９に移行する。一方、ＨＤＲ画像を表示可能な表示装置１０が存在しない場合（Ｓ１５：Ｎｏ）、処理はステップＳ１６に移行する。
【００５３】
ステップＳ１６では、制御部１１は、前記入力画像がモノクロ画像であるか否かを判定する。前記入力画像がモノクロ画像である場合（Ｓ１６：Ｙｅｓ）、処理はステップＳ１７に移行する。一方、前記入力画像がモノクロ画像でない場合（Ｓ１６：Ｎｏ）、処理はステップＳ１８に移行する。
【００５４】
ステップＳ１７では、制御部１１は、表示システム１００に含まれる複数の表示装置１０の中に、モノクロ画像を表示可能な表示装置１０が存在するか否かを判定する。制御部１１が判定処理を実行した後、処理はステップＳ１９に移行する。
【００５５】
ステップＳ１８では、制御部１１は、表示システム１００に含まれる複数の表示装置１０の中に、カラー画像を表示可能な表示装置１０が存在するか否かを判定する。制御部１１が判定処理を実行した後、処理はステップＳ１９に移行する。ステップＳ１４〜Ｓ１８は、本発明の判定ステップの一例である。
【００５６】
ステップＳ１９では、制御部１１は、ステップＳ１５，Ｓ１７，Ｓ１８のそれぞれの判定結果を取得する。
【００５７】
次にステップＳ２０において、制御部１１は、前記各判定結果に基づいて、前記入力画像を表示させる表示装置１０を決定する。ステップＳ２０は、本発明の決定ステップの一例である。
【００５８】
例えば、前記入力画像がＨＤＲ画像であり、表示装置１０ａがＨＤＲ画像を表示可能である場合（Ｓ１５：Ｙｅｓ）、制御部１１は、前記入力画像を表示させる表示装置として表示装置１０ａを決定する。また例えば、前記入力画像がモノクロ画像であり、表示装置１０ｂがモノクロ画像を表示可能である場合（Ｓ１７）、制御部１１は、前記入力画像を表示させる表示装置として表示装置１０ｂを決定する。また例えば、前記入力画像がカラー画像であり、表示装置１０ｃがカラー画像を表示可能である場合（Ｓ１８）、制御部１１は、前記入力画像を表示させる表示装置として表示装置１０ｃを決定する。
【００５９】
次にステップＳ２１において、制御部１１は、前記入力画像の表示処理を実行する。例えば、制御部１１は、前記入力画像を表示させる表示装置１０を表示装置１０ａに決定した場合、前記入力画像を表示装置１０ａの表示部に表示させる。ステップＳ２１は、本発明の表示ステップの一例である。
【００６０】
また例えば、制御部１１は、前記入力画像を表示させる表示装置１０を表示装置１０ｂに決定した場合、前記入力画像の画像データＤｖを表示装置１０ｂに転送して、表示装置１０ｂの表示部に表示させる。また例えば、制御部１１は、前記入力画像を表示させる表示装置１０を表示装置１０ｃに決定した場合、前記入力画像の画像データＤｖを表示装置１０ｂを介して表示装置１０ｃに転送して、表示装置１０ｃの表示部に表示させる。
【００６１】
なお、制御部１１は、複数の表示装置１０のうち前記入力画像を表示させる一つの表示装置１０を決定し、決定した前記一つの表示装置１０に前記入力画像を表示させてもよい。また、制御部１１は、複数の表示装置１０のうち前記入力画像を表示させる複数の表示装置１０を決定し、決定した前記複数の表示装置１０のそれぞれに前記入力画像を表示させてもよい。
【００６２】
制御部１１は、入力画像を取得するごとに前記画像表示処理を実行する。なお、前記画像表示処理では、制御部１１は、ステップＳ１４〜Ｓ１８の判定処理を選択的に実行しているが、他の実施形態として、制御部１１は、前記入力画像についてステップＳ１４〜Ｓ１８のそれぞれの判定処理を実行してもよい。この場合、制御部１１は、各判定処理の結果に基づいて、前記入力画像を表示させる表示装置１０を決定してもよい。
【００６３】
以上のように、表示システム１００では、入力映像信号Ｄｅが入力される表示装置１０ａが、入力映像信号Ｄｅに対応する入力画像を取得し、複数の表示装置１０のそれぞれの機器情報を取得し、前記入力画像の種別を判定する。また、表示装置１０ａは、前記機器情報と前記入力画像の種別とに基づいて、複数の表示装置１０のうち前記入力画像を表示させる表示装置１０を決定する。そして、表示装置１０ａは、決定した表示装置１０に前記入力画像を表示させる。これにより、ユーザの手間を省きつつ入力映像信号Ｄｅに応じた入力画像を当該入力画像に適した表示装置１０に表示させることが可能となる。
【００６４】
本発明に係る表示システム１００は、上述の実施形態に限定されない。他の実施形態として、表示装置１０ａの制御部１１は、図６に示す前記画像表示処理において、例えば、前記入力画像がモノクロ画像であって（Ｓ１６：Ｙｅｓ）、モノクロ画像を表示可能な表示装置１０が複数台存在する場合（Ｓ１７）に、制御部１１は、前記入力画像を表示させる表示装置１０として複数台の表示装置１０を決定してもよい（Ｓ２０）。例えば、表示装置１０ｂがモノクロ画像のみを表示可能であり、表示装置１０ｃがモノクロ画像及びカラー画像の両方を表示可能である場合に、制御部１１は、前記入力画像を表示させる表示装置として表示装置１０ｂ，１０ｃを決定してもよい。この場合、制御部１１は、表示装置１０ｂのＩＤ番号と表示装置１０ｃのＩＤ番号とを付与した画像データＤｖを表示装置１０ｂに転送する。表示装置１０ｂは、前記画像データＤｖを取得すると、自身の表示部に前記入力画像を表示させるとともに、前記画像データＤｖを表示装置１０ｃに転送する。表示装置１０ｃは、前記画像データＤｖを取得すると、自身の表示部に前記入力画像を表示させる。なお、制御部１１は、同一の前記入力画像を複数の表示装置１０に表示させる場合に、各表示装置１０において同一の表示位置（例えば中央）に、かつ同一の表示モードで表示させることが好ましい。これにより、各表示装置１０の経時劣化（輝度劣化）のばらつきを抑えることができる。
【００６５】
また、他の実施形態として、制御部１１は、前記機器情報と、前記判定処理の結果と、予め設定された優先順位の情報とに基づいて、前記入力画像を表示させる表示装置１０を決定してもよい。具体的には、制御部１１は、表示装置１０ａの表示部に表示される設定画面（図７参照）においてユーザから優先順位の設定操作を受け付ける。前記設定画面では、前記入力画像の種別に対応する項目ごとに優先順位を設定することが可能となっている。
【００６６】
ユーザは、前記画像表示処理が開始される前に予め前記設定画面において各項目の優先順位を設定する。図７に示す例では、項目「モノクロ」の優先順位が第１位に設定され、項目「カラー」の優先順位が第２位に設定され、項目「ＨＤＲ」の優先順位が第３位に設定されている。この場合に、例えば前記入力画像を表示可能な表示装置１０として、表示装置１０ｂ，１０ｃが存在する場合に、制御部１１は、表示装置１０ｂ，１０ｃのうち優先順位が高い表示装置１０ｂを、前記入力画像を表示させる表示装置に決定する。これにより、制御部１１は、前記入力画像の表示に最適な一つの表示装置１０に画像を表示させることができる。
【００６７】
また、他の実施形態として、制御部１１は、各表示装置１０の表示品位の状態に基づいて、前記入力画像を表示させる表示装置１０を決定してもよい。例えば、表示装置１０は、経時劣化により表示輝度が低下することがある。そこで、制御部１１は、各表示装置１０の表示輝度の劣化度合いに基づいて、前記入力画像を表示させる表示装置１０を決定してもよい。具体的には、制御部１１は、前記機器情報と、前記入力画像の種別と、複数の表示装置１０のそれぞれの表示輝度の劣化度合いとに基づいて、前記入力画像を表示させる表示装置１０を決定する。
【００６８】
例えば、制御部１１は、複数の表示装置１０のそれぞれの表示輝度の劣化度合いの差が閾値を超えた場合に、前記劣化度合いが最も小さい表示装置１０を、前記入力画像を表示させる表示装置１０に決定してもよい。例えば、制御部１１（機器情報取得部１１２）は、各表示装置１０から使用時間（例えば電源ＯＮ期間の累積時間）を取得する。そして、制御部１１は、各表示装置１０の使用時間を比較して、使用時間が最も少ない表示装置１０を、前記入力画像を表示させる表示装置１０に決定してもよい。
【００６９】
また、他の実施形態として、制御部１１は、複数の入力画像を１台の表示装置１０に表示させてもよい。例えば図８に示すように、入力画像Ｃ及び入力画像Ｄが、表示装置１０ｃの表示画面の上下に並べて表示可能である場合に、制御部１１は、表示装置１０ｃのＩＤ番号と入力画像Ｃ及び入力画像Ｄの表示位置（上又は下）の位置情報（表示レイアウト）とを付与して画像データＤｖを転送する。
【００７０】
また、例えば入力画像Ｃ及び入力画像Ｄが表示装置１０ｃの表示画面に収まらない場合には、制御部１１は、入力画像Ｃ及び入力画像Ｄを一画面で表示可能な他の表示装置１０を決定する。また、制御部１１は、入力画像Ｃ及び入力画像Ｄのサイズを表示装置１０ｃのサイズ、解像度に応じて変更して一画面に表示させてもよい。すなわち、制御部１１は、複数の入力画像を同一の表示装置１０に表示させる場合に、前記入力画像の種別に基づいて決定した表示装置１０に対応させて、前記入力画像のサイズなどを変更してもよい。
【符号の説明】
【００７１】
１０    ：表示装置
１１    ：制御部
１２    ：記憶部
１３    ：操作表示部
１４    ：通信部
２１    ：制御部
２２    ：記憶部
２３    ：操作表示部
２４    ：通信部
１００  ：表示システム
１１１  ：画像取得部
１１２  ：機器情報取得部
１１３  ：画像解析部
１１４  ：判定処理部
１１５  ：機器決定部
１１６  ：表示処理部
２００  ：映像出力装置
２１１  ：画像取得部
２１２  ：画像判定部
２１３  ：表示処理部
２１４  ：画像転送部
【図１】
2022001917.tif 000003
【図２】
2022001917.tif 000004
【図３】
2022001917.tif 000005
【図４】
2022001917.tif 000006
【図５】
2022001917.tif 000007
【図６】
2022001917.tif 000008
【図７】
2022001917.tif 000009
【図８】
2022001917.tif 000010